(57)【要約】【課題】スイッチ素子を増加させず多くのＬＥＤを点灯させるＬＥＤ点灯回路。【解決手段】直流電源Ｅの両端に並列に接続され、ハイサイドの第１スイッチ素子Ｑ１，Ｑ３，Ｑ５とローサイドの第２スイッチ素子Ｑ２，Ｑ４，Ｑ６とが直列に接続されたＮ個（Ｎは３以上の整数）の直列回路と、電流が同一方向に流れるように１以上の第１のＬＥＤが直列に接続された（Ｎ−１）×Ｎ個の第１のＬＥＤ列１〜６と、電流が同一方向に流れ且つ１以上の第１のＬＥＤの電流とは逆方向に流れるように複数の第２のＬＥＤが直列に接続された（Ｎ−１）×Ｎ個の第２のＬＥＤ列７〜１２とを備え、直列回路毎に、自己の直列回路の第１スイッチ素子と第２スイッチ素子との接続点と他の直列回路の第１スイッチ素子と第２スイッチ素子との接続点との間に、（Ｎ−１）個の第１のＬＥＤ列と（Ｎ−１）個の第２のＬＥＤ列が接続される。【選択図】図１
2017107791.tif 000002
【特許請求の範囲】
【請求項１】
直流電源と、
前記直流電源の両端に並列に接続され、ハイサイドの第１スイッチ素子とローサイドの第２スイッチ素子とが直列に接続されたＮ個（Ｎは３以上の整数）の直列回路と、
電流が同一方向に流れるように１以上の第１のＬＥＤが直列に接続された（Ｎ−１）×Ｎ個の第１のＬＥＤ列と、
電流が同一方向に流れ且つ前記１以上の第１のＬＥＤの電流とは逆方向に流れるように１以上の第２のＬＥＤが直列に接続された（Ｎ−１）×Ｎ個の第２のＬＥＤ列とを備え、
前記直列回路毎に、自己の直列回路の前記第１スイッチ素子と前記第２スイッチ素子との接続点と他の直列回路の前記第１スイッチ素子と前記第２スイッチ素子との接続点との間に、前記（Ｎ−１）個の第１のＬＥＤ列と前記（Ｎ−１）個の第２のＬＥＤ列が接続されていることを特徴とするＬＥＤ点灯回路。
【請求項２】
前記Ｎ個の直列回路において、前記第１スイッチ素子と前記第２スイッチ素子とを相補的にオンオフ又は前記第１スイッチ素子と前記第２スイッチ素子との両方をオフさせて、前記（Ｎ−１）×Ｎ個の第１のＬＥＤ列及び前記（Ｎ−１）×Ｎ個の第２のＬＥＤ列の発光を制御する制御回路を備えることを特徴とする請求項１記載のＬＥＤ点灯回路。
【請求項３】
前記制御回路は、前記Ｎ個の直列回路の前記第１スイッチ素子又は前記第２スイッチ素子を最大で（Ｎ−１）個オンさせることを特徴とする請求項２記載のＬＥＤ点灯回路。
【請求項４】
前記制御回路は、外部信号に基づき前記Ｎ個の直列回路の前記第１スイッチ素子又は前記第２スイッチ素子を最大で（Ｎ−１）個オンさせることを特徴とする請求項３記載のＬＥＤ点灯回路。
【請求項５】
前記制御回路は、外部信号に基づき前記Ｎ個の直列回路の前記第１スイッチ素子又は前記第２スイッチ素子をオンする時間を制御することにより調光制御を行うことを特徴とする請求項３記載のＬＥＤ点灯回路。
【発明の詳細な説明】
【技術分野】
【０００１】
本発明は、ＬＥＤ（Light Emitting Diode）を点灯させるＬＥＤ点灯回路に関する。
【背景技術】
【０００２】
従来のＬＥＤ点灯回路の一例を図７に示す。従来のＬＥＤ点灯回路は、直流電源Ｅと、複数のＬＥＤが直列に接続された９個のＬＥＤ列１〜ＬＥＤ列９と、Ｎ型ＭＯＳＦＥＴからなるスイッチ素子Ｑ１１〜Ｑ１６とが設けられている。３行に配列されたスイッチ素子Ｑ１１，１２，１３のソースは、直流電源Ｅの負極に接続され、３列に配列されたスイッチ素子Ｑ１４，１５，１６のドレインは、直流電源Ｅの正極に接続されている。
【０００３】
スイッチ素子Ｑ１１のドレインには、ＬＥＤ列１の最下端のＬＥＤのカソードとＬＥＤ列４の最下端のＬＥＤのカソードとＬＥＤ列７の最下端のＬＥＤのカソードとに接続されている。スイッチ素子Ｑ１２のドレインには、ＬＥＤ列２の最下端のＬＥＤのカソードとＬＥＤ列５の最下端のＬＥＤのカソードとＬＥＤ列８の最下端のＬＥＤのカソードとに接続されている。スイッチ素子Ｑ１３のドレインには、ＬＥＤ列３の最下端のＬＥＤのカソードとＬＥＤ列６の最下端のＬＥＤのカソードとＬＥＤ列９の最下端のＬＥＤのカソードとに接続されている。
【０００４】
スイッチ素子Ｑ１４のソースには、ＬＥＤ列１の最上端のＬＥＤのカソードとＬＥＤ列２の最上端のＬＥＤのカソードとＬＥＤ列３の最上端のＬＥＤのカソードとに接続されている。スイッチ素子Ｑ１５のソースには、ＬＥＤ列４の最上端のＬＥＤのカソードとＬＥＤ列５の最上端のＬＥＤのカソードとＬＥＤ列６の最上端のＬＥＤのカソードとに接続されている。スイッチ素子Ｑ１６のソースには、ＬＥＤ列７の最上端のＬＥＤのカソードとＬＥＤ列８の最上端のＬＥＤのカソードとＬＥＤ列９の最上端のＬＥＤのカソードとに接続されている。
【０００５】
このように構成されたマトリクス方式のＬＥＤ制御では、点灯させたいＬＥＤ列に対応する行のスイッチ素子と列のスイッチ素子とをオンさせることで、ＬＥＤ列を発光させることができる。例えば、ＬＥＤ列１を点灯させたい場合には、スイッチ素子Ｑ１４とスイッチ素子Ｑ１１とをオンさせる。ＬＥＤ列９を点灯させたい場合には、スイッチ素子Ｑ１６とスイッチ素子Ｑ１３とをオンさせる。
【先行技術文献】
【特許文献】
【０００６】
【特許文献１】特開２００９−２６０１９３号公報
【発明の概要】
【発明が解決しようとする課題】
【０００７】
しかしながら、特許文献１に記載されたＬＥＤ点灯回路では、点灯制御したいＬＥＤの数が増加すると、スイッチ素子が多くなるという課題を有していた。
【０００８】
本発明の課題は、スイッチ素子を増加させることなく、より多くのＬＥＤを点灯させることができるＬＥＤ点灯回路を提供することにある。
【課題を解決するための手段】
【０００９】
上記課題を解決するために、本発明に係るＬＥＤ点灯回路は、直流電源と、前記直流電源の両端に並列に接続され、ハイサイドの第１スイッチ素子とローサイドの第２スイッチ素子とが直列に接続されたＮ個（Ｎは３以上の整数）の直列回路と、電流が同一方向に流れるように１以上の第１のＬＥＤが直列に接続された（Ｎ−１）×Ｎ個の第１のＬＥＤ列と、電流が同一方向に流れ且つ前記１以上の第１のＬＥＤの電流とは逆方向に流れるように複数の第２のＬＥＤが直列に接続された（Ｎ−１）×Ｎ個の第２のＬＥＤ列とを備え、前記直列回路毎に、自己の直列回路の前記第１スイッチ素子と前記第２スイッチ素子との接続点と他の直列回路の前記第１スイッチ素子と前記第２スイッチ素子との接続点との間に、前記（Ｎ−１）個の第１のＬＥＤ列と前記（Ｎ−１）個の第２のＬＥＤ列が接続されていることを特徴とする。
【発明の効果】
【００１０】
本発明によれば、複数の直列回路をブリッジ接続し、直列回路毎に、自己の直列回路の第１スイッチ素子と第２スイッチ素子との接続点と他の直列回路の第１スイッチ素子と第２スイッチ素子との接続点との間に、（Ｎ−１）個の第１のＬＥＤ列と（Ｎ−１）個の第２のＬＥＤ列を接続したので、スイッチ素子を増加させることなく、より多くのＬＥＤを点灯させることができる。
【図面の簡単な説明】
【００１１】
【図１】本発明に係る実施例１のＬＥＤ点灯回路の構成を示す図である。
【図２】本発明に係る実施例１のＬＥＤ点灯回路の各部の動作を説明するためのタイミングチャートである。
【図３】本発明に係る実施例１のＬＥＤ点灯回路のＬＥＤ列１とＬＥＤ列９を点灯させる時のスイッチ素子のオン動作を示す図である。
【図４】本発明の実施例１のＬＥＤ点灯回路のＬＥＤ列４とＬＥＤ列１２を点灯させる時のスイッチ素子のオン動作を示す図である。
【図５】本発明の実施例２のＬＥＤ点灯回路のＬＥＤ列１とＬＥＤ列２とＬＥＤ列９とＬＥＤ列１１を点灯させる時のスイッチ素子のオン動作を示す図である
【図６】本発明の実施例２のＬＥＤ点灯回路の各部の動作を説明するためのタイミングチャートである。
【図７】従来のＬＥＤ点灯回路の構成を示す図である。
【発明を実施するための形態】
【００１２】
以下、本発明の実施の形態に係るＬＥＤ点灯回路について、図面を参照しながら詳細に説明する。
【実施例１】
【００１３】
図１は、本発明に係る実施例１のＬＥＤ点灯回路の構成を示す図である。実施例１のＬＥＤ点灯回路は、直流電源Ｅと、ブリッジ接続されたＮ型ＭＯＳＦＥＴからなるスイッチ素子Ｑ１〜Ｑ６と、６個のＬＥＤ列１〜ＬＥＤ列６と、６個のＬＥＤ列７〜ＬＥＤ列１２と、点灯制御回路ＣＬ１と、ＬＥＤ点灯箇所ユーザインターフェースＩＦ１とを備えている。
【００１４】
ハイサイド（上アーム）のスイッチ素子Ｑ１とローサイド（下アーム）のスイッチ素子Ｑ２とが直列に接続された第１の直列回路と、ハイサイドのスイッチ素子Ｑ３とローサイドのスイッチ素子Ｑ４とが直列に接続された第２の直列回路と、ハイサイドのスイッチ素子Ｑ５とローサイドのスイッチ素子Ｑ６とが直列に接続された第３の直列回路とは、直流電源Ｅの両端に並列に接続されている。この直列回路の数（アームの数）をＮとすると、Ｎ＝３である。
【００１５】
スイッチ素子Ｑ１，Ｑ３，Ｑ５のドレインは、直流電源１の正極に接続され、スイッチ素子Ｑ２，Ｑ４，Ｑ６のソースは、直流電源１の負極に接続されている。
【００１６】
６個のＬＥＤ列１〜ＬＥＤ列６は、電流が同一方向に流れるように複数の第１のＬＥＤが直列に接続されている。６個のＬＥＤ列７〜ＬＥＤ列１２は、電流が同一方向に流れ且つ複数の第１のＬＥＤの電流とは逆方向に流れるように複数の第２のＬＥＤが直列に接続されている。
【００１７】
実施例１では、複数の第１のＬＥＤは、３個のＬＥＤと逆電圧阻止用ダイオードの直列回路からなり、複数の第２のＬＥＤも３個のＬＥＤと逆電圧阻止用ダイオードの直列回路からなる。なお、複数の第１のＬＥＤ及び複数の第２のＬＥＤの数は、３個に限定されず、その以外の数であっても良く、１個であっても良い。
【００１８】
６個のＬＥＤ列１〜ＬＥＤ列６、６個のＬＥＤ列７〜ＬＥＤ列１２の各々の数は、上アームとスイッチ素子と下アームのスイッチ素子とが直列に接続された直列回路の数Ｎを用いて表すと、Ｎ×（Ｎ−１）個で表される。
【００１９】
３つの直列回路毎に、自己の直列回路の第１スイッチ素子と第２スイッチ素子との接続点と他の直列回路の第１スイッチ素子と第２スイッチ素子との接続点との間に、２個の第１のＬＥＤ列と２個の第２のＬＥＤ列が接続されている。
【００２０】
２個の第１のＬＥＤ列、２個の第２のＬＥＤ列の各々の数は、Ｎを用いて表すと、（Ｎ−１）個で表される。
【００２１】
第１の直列回路（Ｑ１，Ｑ２）については、自己の直列回路の第１スイッチ素子Ｑ１と第２スイッチ素子Ｑ２との接続点と他の直列回路の第１スイッチ素子（Ｑ３，Ｑ５）と第２スイッチ素子（Ｑ４，Ｑ６）との接続点との間に、２個の第１のＬＥＤ列１（Ｑ１とＱ４），ＬＥＤ列２（Ｑ１とＱ６）と、２個の第２のＬＥＤ列９（Ｑ１とＱ４），ＬＥＤ列１１（Ｑ１とＱ６）が接続されている。
【００２２】
第２の直列回路（Ｑ３，Ｑ４）について、自己の直列回路の第１スイッチ素子Ｑ３と第２スイッチ素子Ｑ４との接続点と他の直列回路の第１スイッチ素子（Ｑ１，Ｑ５）と第２スイッチ素子（Ｑ２，Ｑ６）との接続点との間に、２個の第１のＬＥＤ列３（Ｑ３とＱ２），ＬＥＤ列４（Ｑ３とＱ６）と、２個の第２のＬＥＤ列７（Ｑ３とＱ２），ＬＥＤ列１２（Ｑ３とＱ６）が接続されている。
【００２３】
第３の直列回路（Ｑ５，Ｑ６）について、自己の直列回路の第１スイッチ素子Ｑ５と第２スイッチ素子Ｑ６との接続点と他の直列回路の第１スイッチ素子（Ｑ１，Ｑ３）と第２スイッチ素子（Ｑ２，Ｑ４）との接続点との間に、２個の第１のＬＥＤ列５（Ｑ５とＱ２），ＬＥＤ列６（Ｑ５とＱ４）と、２個の第２のＬＥＤ列８（Ｑ５とＱ２），ＬＥＤ列１０（Ｑ５とＱ４）が接続されている。
【００２４】
ＬＥＤ点灯箇所ユーザインターフェースＩＦ１は、ＬＥＤ列の点灯箇所を指示するためのＬＥＤ点灯箇所指示情報を点灯制御回路ＣＬ１に出力する。
【００２５】
点灯制御回路ＣＬ１は、ＬＥＤ点灯箇所ユーザインターフェースＩＦ１からのＬＥＤ点灯箇所指示情報に基づき、スイッチ素子Ｑ１〜Ｑ６のゲート信号を生成する。また、点灯制御回路ＣＬ１は、ゲート信号をスイッチ素子Ｑ１〜Ｑ６に印加することで、各直列回路に設けられた第１スイッチ素子と第２スイッチ素子とを相補的にオンオフ又は第１スイッチ素子と第２スイッチ素子との両方をオフさせて、６個の第１のＬＥＤ列１〜６と第２のＬＥＤ列７〜１２との発光を制御する。
【００２６】
次に、実施例１のＬＥＤ点灯回路の動作を図２〜図４を参照しながら詳細に説明する。図２は、本発明に係る実施例１のＬＥＤ点灯回路の各部の動作を説明するためのタイミングチャートである。
【００２７】
図２において、Ｑ１〜Ｑ６はスイッチ素子Ｑ１〜Ｑ６のゲート信号、ＬＥＤ１〜ＬＥＤ１２は、ＬＥＤ列１〜ＬＥＤ列１２がオンした状態を示す。また、図２の横軸は時刻であり、時刻ｔ０〜ｔ６が１周期である。
【００２８】
まず、時刻ｔ０〜ｔ１における動作を図３を用いて説明する。点灯制御回路ＣＬ１からのゲート信号により、スイッチ素子Ｑ１とスイッチ素子Ｑ４とがオンする。すると、電源Ｅ→スイッチ素子Ｑ１→ＬＥＤ列１→Ｑ４→電源Ｅの経路で、ＬＥＤ列１を発光させることができる。また、電源Ｅ→スイッチ素子Ｑ１→ＬＥＤ列９→Ｑ４→電源Ｅの経路で、ＬＥＤ列９を発光させることができる。
【００２９】
次に、時刻ｔ１〜ｔ２において、スイッチ素子Ｑ１とスイッチ素子Ｑ６とがオンする。すると、電源Ｅ→スイッチ素子Ｑ１→ＬＥＤ列２→Ｑ６→電源Ｅの経路で、ＬＥＤ列２を発光させることができる。また、電源Ｅ→スイッチ素子Ｑ１→ＬＥＤ列１１→Ｑ６→電源Ｅの経路で、ＬＥＤ列１１を発光させることができる。
【００３０】
次に、時刻ｔ２〜ｔ３において、スイッチ素子Ｑ２とスイッチ素子Ｑ３とがオンする。すると、電源Ｅ→スイッチ素子Ｑ３→ＬＥＤ列３→Ｑ２→電源Ｅの経路で、ＬＥＤ列３を発光させることができる。また、電源Ｅ→スイッチ素子Ｑ３→ＬＥＤ列７→Ｑ２→電源Ｅの経路で、ＬＥＤ列７を発光させることができる。
【００３１】
次に、時刻ｔ３〜ｔ４においては図４に示すように、スイッチ素子Ｑ３とスイッチ素子Ｑ６とがオンする。すると、電源Ｅ→スイッチ素子Ｑ３→ＬＥＤ列４→Ｑ６→電源Ｅの経路で、ＬＥＤ列４を発光させることができる。また、電源Ｅ→スイッチ素子Ｑ３→ＬＥＤ列１２→Ｑ６→電源Ｅの経路で、ＬＥＤ列１２を発光させることができる。
【００３２】
次に、時刻ｔ４〜ｔ５において、スイッチ素子Ｑ２とスイッチ素子Ｑ５とがオンする。すると、電源Ｅ→スイッチ素子Ｑ２→ＬＥＤ列５→Ｑ５→電源Ｅの経路で、ＬＥＤ列５を発光させることができる。また、電源Ｅ→スイッチ素子Ｑ２→ＬＥＤ列８→Ｑ５→電源Ｅの経路で、ＬＥＤ列８を発光させることができる。
【００３３】
次に、時刻ｔ５〜ｔ６において、スイッチ素子Ｑ４とスイッチ素子Ｑ５とがオンする。すると、電源Ｅ→スイッチ素子Ｑ５→ＬＥＤ列６→Ｑ４→電源Ｅの経路で、ＬＥＤ列６を発光させることができる。また、電源Ｅ→スイッチ素子Ｑ５→ＬＥＤ列１０→Ｑ４→電源Ｅの経路で、ＬＥＤ列１０を発光させることができる。
【００３４】
このように実施例１のＬＥＤ点灯回路によれば、複数の直列回路をブリッジ接続し、直列回路毎に、自己の直列回路の第１スイッチ素子と第２スイッチ素子との接続点と他の直列回路の第１スイッチ素子と第２スイッチ素子との接続点との間に、（Ｎ−１）個の第１のＬＥＤ列と（Ｎ−１）個の第２のＬＥＤ列を接続したので、スイッチ素子を増加させることなく、より多くのＬＥＤを点灯させることができる。
【００３５】
図７に示す従来回路では、スイッチ素子が６個でＬＥＤ列が９列であるが、実施例１では、スイッチ素子が６個でＬＥＤ列が１２列となる。また、従来回路においてスイッチ素子を８個とした場合にはＬＥＤ列が１６列となるが、実施例では、スイッチ素子を８個とした場合にはＬＥＤ列が２４列となる。従って、スイッチ素子を増加させることなく、より多くのＬＥＤを点灯させることができる。
【００３６】
また、点灯制御回路ＣＬ１が、各直列回路に設けられた第１スイッチ素子と第２スイッチ素子とを相補的にオンオフ又は第１スイッチ素子と第２スイッチ素子との両方をオフさせて、６個の第１のＬＥＤ列１〜６と第２のＬＥＤ列７〜１２の発光を制御するので、所望のＬＥＤ列を点灯させることができる。
【００３７】
なお、実施例１では、アームの数が３アームであり、ＬＥＤ列の数が１２個であった。例えば、アームの数が４アームである場合には、ＬＥＤ列の数が２４個である。例えば、アームの数が５アームである場合には、ＬＥＤ列の数が４０個である。
【００３８】
この法則を見ると、アームの数から１を引いた（Ｎ−１）の接続点間があり、その接続点間の数の組み合わせで、ＬＥＤ列の組み合わせが可能となる。
【００３９】
実施例１のように、アーム数が３アームである場合には、Ｑ１とＱ４，Ｑ６間、Ｑ３とＱ２，Ｑ６間、Ｑ５とＱ２，Ｑ４間の組み合わせとなる。第１のＬＥＤ列と第２のＬＥＤ列との２列があるので、ＬＥＤ列の数は１２個となる。
【００４０】
即ち、スイッチ素子のアームがＮアームである場合には、ＬＥＤ列の組み合わせの数は、（Ｎ−１）×Ｎ×２列になる。Ｎは３以上の整数である。
【実施例２】
【００４１】
図５は、本発明の実施例２のＬＥＤ点灯回路のＬＥＤ列１とＬＥＤ列２を点灯させる時のスイッチ素子のオン動作を示す図である。図６は、本発明の実施例２のＬＥＤ点灯回路の各部の動作を説明するためのタイミングチャートである。
【００４２】
実施例２のＬＥＤ点灯回路は、点灯制御回路ＣＬ１が、各直列回路の第１スイッチ素子又は第２スイッチ素子を最大で（Ｎ−１）個だけオンさせることを特徴とする。実施例２のＬＥＤ点灯回路では、Ｎ＝３であるので、点灯制御回路ＣＬ１は、第１スイッチ素子又は第２スイッチ素子を最大で２個だけオンさせる。例えば、図６の時刻ｔ１０〜ｔ１１では、第２スイッチ素子Ｑ４，Ｑ６の２個がオンする。図６の時刻ｔ１３〜ｔ１４では、第１スイッチ素子Ｑ３，Ｑ５の２個がオンする。
【００４３】
また、点灯制御回路ＣＬ１が、ＬＥＤ点灯箇所ユーザインターフェースＩＦ１からのＬＥＤ点灯箇所指示情報に基づきＮ個の直列回路の第１スイッチ素子又は第２スイッチ素子をオンする時間を制御することにより調光制御を行うことを特徴とする。
【００４４】
次に、実施例２のＬＥＤ点灯回路の動作を図５〜図６を参照しながら詳細に説明する。図６は、本発明に係る実施例２のＬＥＤ点灯回路の各部の動作を説明するためのタイミングチャートである。
【００４５】
まず、時刻ｔ１０〜ｔ１１における動作を図５を用いて説明する。点灯制御回路ＣＬ１からのゲート信号により、スイッチ素子Ｑ１とスイッチ素子Ｑ４とスイッチ素子Ｑ６がオンする。すると、電源Ｅ→スイッチ素子Ｑ１→ＬＥＤ列１→Ｑ４→電源Ｅの経路で、ＬＥＤ列１を発光させることができる。電源Ｅ→スイッチ素子Ｑ１→ＬＥＤ列９→Ｑ４→電源Ｅの経路で、ＬＥＤ列９を発光させることができる。また、電源Ｅ→スイッチ素子Ｑ１→ＬＥＤ列２→Ｑ６→電源Ｅの経路で、ＬＥＤ列２を発光させることができる。電源Ｅ→スイッチ素子Ｑ１→ＬＥＤ列１１→Ｑ６→電源Ｅの経路で、ＬＥＤ列１１を発光させることができる。
【００４６】
次に、時刻ｔ１１〜ｔ１２において、スイッチ素子Ｑ２とスイッチ素子Ｑ３とスイッチ素子Ｑ６とがオンする。すると、電源Ｅ→スイッチ素子Ｑ３→ＬＥＤ列３→Ｑ２→電源Ｅの経路で、ＬＥＤ列３を発光させることができる。電源Ｅ→スイッチ素子Ｑ３→ＬＥＤ列７→Ｑ２→電源Ｅの経路で、ＬＥＤ列７を発光させることができる。また、電源Ｅ→スイッチ素子Ｑ３→ＬＥＤ列４→Ｑ６→電源Ｅの経路で、ＬＥＤ列４を発光させることができる。電源Ｅ→スイッチ素子Ｑ３→ＬＥＤ列１２→Ｑ６→電源Ｅの経路で、ＬＥＤ列１２を発光させることができる。
【００４７】
次に、時刻ｔ１２〜ｔ１３において、スイッチ素子Ｑ２とスイッチ素子Ｑ４とスイッチ素子Ｑ５がオンする。すると、電源Ｅ→スイッチ素子Ｑ５→ＬＥＤ列５→Ｑ２→電源Ｅの経路で、ＬＥＤ列５を発光させることができる。電源Ｅ→スイッチ素子Ｑ５→ＬＥＤ列８→Ｑ２→電源Ｅの経路で、ＬＥＤ列８を発光させることができる。また、電源Ｅ→スイッチ素子Ｑ５→ＬＥＤ列６→Ｑ４→電源Ｅの経路で、ＬＥＤ列６を発光させることができる。電源Ｅ→スイッチ素子Ｑ５→ＬＥＤ列１０→Ｑ４→電源Ｅの経路で、ＬＥＤ列１０を発光させることができる。
【００４８】
次に、時刻ｔ１３〜ｔ１４において、スイッチ素子Ｑ２とスイッチ素子Ｑ３とスイッチ素子Ｑ５がオンする。すると、電源Ｅ→スイッチ素子Ｑ３→ＬＥＤ列３→Ｑ２→電源Ｅの経路で、ＬＥＤ列３を発光させることができる。電源Ｅ→スイッチ素子Ｑ３→ＬＥＤ列７→Ｑ２→電源Ｅの経路で、ＬＥＤ列７を発光させることができる。電源Ｅ→スイッチ素子Ｑ５→ＬＥＤ列５→Ｑ２→電源Ｅの経路で、ＬＥＤ列５を発光させることができる。電源Ｅ→スイッチ素子Ｑ５→ＬＥＤ列８→Ｑ２→電源Ｅの経路で、ＬＥＤ列８を発光させることができる。
【００４９】
次に、時刻ｔ１４〜ｔ１５において、スイッチ素子Ｑ１とスイッチ素子Ｑ４とスイッチ素子Ｑ５がオンする。すると、電源Ｅ→スイッチ素子Ｑ１→ＬＥＤ列１→Ｑ４→電源Ｅの経路で、ＬＥＤ列１を発光させることができる。電源Ｅ→スイッチ素子Ｑ１→ＬＥＤ列９→Ｑ４→電源Ｅの経路で、ＬＥＤ列９を発光させることができる。電源Ｅ→スイッチ素子Ｑ５→ＬＥＤ列６→Ｑ４→電源Ｅの経路で、ＬＥＤ列６を発光させることができる。電源Ｅ→スイッチ素子Ｑ５→ＬＥＤ列１０→Ｑ４→電源Ｅの経路で、ＬＥＤ列１０を発光させることができる。
【００５０】
次に、時刻ｔ１５〜ｔ１６において、スイッチ素子Ｑ１とスイッチ素子Ｑ３とスイッチ素子Ｑ６がオンする。すると、電源Ｅ→スイッチ素子Ｑ１→ＬＥＤ列２→Ｑ６→電源Ｅの経路で、ＬＥＤ列２を発光させることができる。電源Ｅ→スイッチ素子Ｑ１→ＬＥＤ列１１→Ｑ６→電源Ｅの経路で、ＬＥＤ列１１を発光させることができる。電源Ｅ→スイッチ素子Ｑ３→ＬＥＤ列４→Ｑ６→電源Ｅの経路で、ＬＥＤ列４を発光させることができる。電源Ｅ→スイッチ素子Ｑ３→ＬＥＤ列１２→Ｑ６→電源Ｅの経路で、ＬＥＤ列１２を発光させることができる。
【００５１】
このように実施例２のＬＥＤ点灯回路によれば、点灯制御回路ＣＬ１が、各期間毎において、各直列回路の第１スイッチ素子又は第２スイッチ素子の一方を２個オンさせ、他方のスイッチ素子を１個オンさせることにより、ＬＥＤ列を４個点灯させることができる。即ち、点灯制御回路ＣＬ１が、第１スイッチ素子又は第２スイッチ素子をオンする時間を制御することにより調光制御を行うことができる。
【００５２】
なお、各アームの点灯時間は、１／６または１／３になるが、流す電流を６倍または３倍にすることで、平均の明るさは変わらなくなる。
【符号の説明】
【００５３】
１〜２４  ＬＥＤ列
Ｑ１〜Ｑ８，Ｑ１１〜Ｑ１６  スイッチ素子
Ｅ  直流電源  
ＣＬ１  点灯制御回路
ＩＦ１  ＬＥＤ点灯箇所ユーザインターフェース
【図１】
2017107791.tif 000003
【図２】
2017107791.tif 000004
【図３】
2017107791.tif 000005
【図４】
2017107791.tif 000006
【図５】
2017107791.tif 000007
【図６】
2017107791.tif 000008
【図７】
2017107791.tif 000009